(57)【特許請求の範囲】
【請求項１】
照明装置と、
前記照明装置を制御するための照明制御装置と、
を備え、
前記照明制御装置は、
対象物を含む領域を撮像するイメージセンサと、
前記イメージセンサによって取得された画像データの撮像範囲内で、前記対象物の領域内に第１測光エリアを設定し、前記対象物の周辺領域内に第２測光エリアを設定し、前記対象物の領域内に前記第１測光エリアとは異なる第３測光エリアを設定する測光エリア設定部と、
前記第１測光エリアと前記第２測光エリアとの照度差が第１の所定の基準を満たし、かつ、前記第１測光エリアと前記第３測光エリアとの照度差が第２の所定の基準を満たすように、前記照明装置を制御するための照度制御情報を生成する制御装置と、
前記照度制御情報を前記照明装置に対して出力する出力部と、
を含み、
前記照明装置は、前記照度制御情報に基づいて、前記対象物に照射する光量を調整する照明システム。
【請求項２】
請求項１に記載の照明システムであって、
前記対象物は、看板を含む照明システム。
【請求項３】
照明装置を制御するための照明制御装置であって、
対象物を含む領域を撮像するイメージセンサと、
前記イメージセンサによって取得された画像データの撮像範囲内で、前記対象物の領域内に第１測光エリアを設定し、前記対象物の周辺領域内に第２測光エリアを設定し、前記対象物の領域内に前記第１測光エリアとは異なる第３測光エリアを設定する測光エリア設定部と、
前記第１測光エリアと前記第２測光エリアとの照度差が第１の所定の基準を満たし、かつ、前記第１測光エリアと前記第３測光エリアとの照度差が第２の所定の基準を満たすように、前記照明装置を制御するための照度制御情報を生成する制御装置と、
前記照度制御情報を前記照明装置に対して出力する出力部と、
を備える照明制御装置。
【請求項４】
請求項３に記載の照明制御装置であって、
前記対象物は、看板を含む照明制御装置。
【請求項５】
請求項２に記載の照明システムと、前記看板とを含む看板ユニット。
【発明の詳細な説明】
【技術分野】
【０００１】
本発明は、対象物の照度を調整するための照明システムに関する。
【背景技術】
【０００２】
照明エリア内の照度を検知し、検知した照度に応じて照明器具の明るさを調整するシステムが存在する。
【０００３】
特許文献１の調光装置は、外光レベルを検出する。特許文献１の調光装置は、外光レベルに応じて、照明器具の照度を調整するようにしている。特許文献２の照明制御装置は、センサによって周囲の明るさを検知する。特許文献２の照明制御装置は、検知した明るさのレベルと記憶している閾値とを比較した上で照明制御を行っている。
【先行技術文献】
【特許文献】
【０００４】
【特許文献１】特開平６−３７５４号公報
【特許文献２】特開２００８−２５１４４３号公報
【発明の概要】
【発明が解決しようとする課題】
【０００５】
特許文献１および特許文献２においては、いずれも、周辺環境の照度を測定することで、照明エリア内の光量を調整している。照明エリア内の全体の照度を調整することが目的となっている。これに対して、たとえば看板など特定の対象物の照度を最適に調整したいという要望がある。しかし、このような要望に対して、有効な技術は未だ考えられていない。
【０００６】
本発明の目的は、対象物の照度を調整し、対象物の視認性を向上させる技術を提供することである。
【課題を解決するための手段】
【０００７】
本実施の形態の照明システムは、照明装置と照明装置を制御するための照明制御装置とを備える。照明制御装置は、イメージセンサ、測光エリア設定部、制御装置および出力部を含む。イメージセンサは、対象物を含む領域を撮像する。測光エリア設定部は、イメージセンサによって取得された画像データの撮像範囲内で、対象物の領域内に第１測光エリアを設定し、対象物の周辺領域内に第２測光エリアを設定し、対象物の領域内に第１測光エリアとは異なる第３測光エリアを設定する。制御装置は、第１測光エリアと第２測光エリアとの照度差が第１の所定の基準を満たし、かつ、第１測光エリアと第３測光エリアとの照度差が第２の所定の基準を満たすように、照明装置を制御するための照度制御情報を生成する。出力部は、照度制御情報を照明装置に対して出力する。照明装置は、照度制御情報に基づいて、対象物に照射する光量を調整する。
【０００９】
本実施の形態の照明システムにおいて、対象物は、看板を含む。
【発明の効果】
【００１０】
対象物と対象物周辺の領域の照度差を考慮して、対象物の照度を調整することができる。対象物の照度だけを測定して対象物の照度を調整する場合と比較して、より正確に、対象物の照度を調整することができる。
【図面の簡単な説明】
【００１１】
【図１】照明ユニットの全体外観図である。
【図２】照明制御装置の外観図である。
【図３】ビルの屋上に照明ユニットを設置させた状態を示す図である。
【図４】照明制御装置のブロック図である。
【図５】インタフェース装置の機能を示す図である。
【図６】モニタに表示された測光エリアの指定枠を示す図である。
【図７】モニタに表示された測光エリアの指定枠を示す図である。
【図８】モニタに表示された測光エリアの指定枠を示す図である。
【図９】制御プログラムの処理内容を示すフローチャートである。
【図１０】キャンセルエリア指定枠を示す図である。
【図１１】第２の実施の形態に係る照明ユニットの設置状態を示す図である。
【図１２】第２の実施の形態に係る測光エリアの指定枠を示す図である。
【発明を実施するための形態】
【００１２】
｛第１の実施の形態｝
以下、図面を参照しつつ本発明の第１の実施の形態について説明する。図１は、第１の実施の形態に係る照明ユニット１の全体外観図である。照明ユニット１は、照明装置２と照明装置２に接続された照明制御装置３とを備えている。
【００１３】
照明装置２は、本実施の形態においては、ＬＥＤ（Ｌｉｇｈｔ  Ｅｍｉｔｔｉｎｇ  Ｄｉｏｄｅｓ）照明装置を利用している。
【００１４】
照明制御装置３は、照明装置２を制御するための装置である。照明制御装置３は、ケーブル４を介して照明装置２に接続されている。
【００１５】
図２は、照明制御装置３の外観図である。図２に示すように、照明制御装置３には、ケーブル６を介してモニタ５が接続されている。モニタ５は、環境設定時にのみ照明制御装置３に接続される。実際に照明エリア内で照明ユニット１が動作しているときには、モニタ５は取り外される。モニタ５としては、たとえば、３２０ドット×２４０ドットなどの小型の液晶モニタなどが利用される。
【００１６】
図２に示すように、照明制御装置３には、ケーブル７を介して操作ユニット３５０が接続されている。操作ユニット３５０は、環境設定時にのみ照明制御装置３に接続される。実際に照明エリア内で照明ユニット１が動作しているときには、操作ユニット３５０は取り外すこともできる。操作ユニット３５０には、ボタンやカーソルで構成される操作部３５１が配置されている。
【００１７】
また、本実施の形態においては、ケーブル７を利用して操作ユニット３５０を照明制御装置３に接続しているが、操作ユニット３５０を無線通信を利用して照明制御装置３に接続してもよい。無線を利用する場合には、小電力無線やＺｉｇＢｅｅなどを利用することができる。
【００１８】
本実施の形態においては、操作ユニット３５０を照明制御装置３とは別の外部ユニットで構成しているが、操作部３５１を照明制御装置３に組み込み、装置表面に配置するようにしてもよい。
【００１９】
図３は、照明ユニット１の設置状態を示す図である。この実施の形態においては、照明ユニット１は、ビル１００の屋上１０１に設置され、看板１０２に光を照射する用途で使用される。照明装置２は、看板１０２を含む照明エリアに向けて光を照射するように設置されている。
【００２０】
図４は、照明制御装置３のブロック図である。照明制御装置３は、ＣＰＵ３１、イメージセンサ３２、インタフェース装置３３、メモリ３４およびタイマＩＣ３９を備える。
【００２１】
ＣＰＵ３１は、照明制御装置３の全体制御を行う。イメージセンサ３２は、看板１０２を含む照明エリア内を撮像する装置である。本実施の形態では、イメージセンサ３２として、ＣＭＯＳを利用している。しかし、イメージセンサ３２の構成は特に限定されるものではない。イメージセンサ３２として、ＣＣＤを利用してもよい。
【００２２】
インタフェース装置３３は、ＣＰＵ３１とイメージセンサ３２との間に配置される。インタフェース装置３３は、イメージセンサ３２が取得した画像データに画像処理を行うハードウェアである。
【００２３】
図５は、インタフェース装置３３の機能を示す図である。インタフェース装置３３の１つ目の機能は、図５に示すように、イメージセンサ３２が取得した画像データ９１を加工して、メモリ３４に格納する画像データ９２を生成する機能である。インタフェース装置３３の１つ目の機能は具体的には、以下のとおりである。
【００２４】
イメージセンサ３２は、カラー画像センサである。本実施の形態のイメージセンサ３２は、ＲＧＢ色空間の画像データ９１を出力する。インタフェース装置３３は、画像データ９１から輝度信号を抽出し、輝度信号のみからなる画像データ９２を生成する。輝度信号としては、たとえばＧ信号を抽出してもよい。イメージセンサ３２がＹＣｂＣｒ色空間の画像データを出力するのであれば、インタフェース装置３３は、Ｙ信号を抽出することで、画像データ９２を生成してもよい。あるいは、輝度信号のみを出力するＣＭＯＳカメラユニットを利用するのであれば、ＣＭＯＳカメラユニットから出力される輝度信号をそのまま用いることができる。
【００２５】
さらに、インタフェース装置３３は、画像データ９１の解像度を低下させる処理を実行する。本実施の形態のイメージセンサ３２は、６４０ドット×４８０ドットの解像度を有している。イメージセンサ３２が取得した画像データ９１の解像度をそのまま維持して画像データ９２を生成してもよいが、画像のサイズが大きいとその後の照度判定処理の負荷が大きくなる。そこで、インタフェース装置３３は、画像データ９１の解像度を低下させ、低解像度の画像データ９２を生成する。たとえば、インタフェース装置３３は、４ドット×４ドットの１６画素を１画素に置き換える。６４０ドット×４８０ドットの画像データ９１は、１６０ドット×１２０ドットの画像データ９２に変換される。画像の変換方法は特に限定されないが、たとえば、４ドット×４ドットのマトリクス内に存在するＧ信号（輝度信号）の平均値を計算することにより、変換後の画像データ９２の画素を構成すればよい。もちろん、出力信号の解像度を選択できるカメラユニットをイメージセンサ３２として利用するのであれば、イメージセンサ３２において解像度を設定すればよい。
【００２６】
インタフェース装置３３の２つ目の機能は、イメージセンサ３２が取得した画像データを加工して、モニタ５に出力するための表示用画像データ９３を生成する機能である。インタフェース装置３３は、イメージセンサ３２が取得した画像データ９１を、ＮＴＳＣのベースバンド信号である表示用画像データ９３に変換して出力ポート３８に対して出力する。このように、インタフェース装置３３は、画像データを、モニタ５の仕様にあわせた映像フォーマットに変換する映像変換装置を内蔵している。映像変換装置としては、ＲＧＢデジタル信号への変換であればエンコーダを備えていればよいし、デジタル信号からアナログ信号（例えばビデオコンポジット信号）への変換であればデコーダを備えていればよい。
【００２７】
出力ポート３８には、図２で示したケーブル６が接続される。出力ポート３８およびケーブル６を介して、表示用画像データ９３がモニタ５に出力される。オペレータは、モニタ５を照明制御装置３に接続することで、イメージセンサ３２の取得した画像を参照することができる。インタフェース装置３３は、イメージセンサ３２の取得したカラーの画像をモノクロに変換して出力ポート３８に出力してもよい。
【００２８】
再び図４を参照する。メモリ３４は、画像データ９２の保存用に用いられる。画像データ９２は、フレーム画像である。メモリ３４に保存された画像データ９２を利用することで、ＣＰＵ３１は、照明エリア内の照度を測定する。メモリ３４に、過去複数フレームの画像データ９２、９２・・・を保存するようにしてもよい。過去複数フレームの画像データ９２、９２・・・を評価して、照明エリア内の照度を測定することができる。
【００２９】
メモリ３４には、また、ＣＰＵ３１において実行される制御プログラム８１および設定プログラム８２が保存されている。制御プログラム８１は、画像データ９２を解析することで、看板１０２を含む照明エリア内の照度を測定するプログラムである。設定プログラム８２は、照明エリア内に測光エリアを設定するプログラムである。測光エリアとは、照明エリアの中に設定されるエリアであり、照度を測定する対象のエリアである。後で詳しく説明するが、照明エリア内には、複数の測光エリアが設定される。制御プログラム８１は、測光エリアごとの照度を算出し、所定のアルゴリズムに従って、照明制御信号を生成する。メモリ３４には、さらに、測光エリア情報８３および設定データ８４が保存される。測光エリア情報８３および設定データ８４については、後で説明する。
【００３０】
出力ポート３５には、図２で示したケーブル７が接続される。ケーブル７および出力ポート３５を介して、操作ユニット３５０からの操作信号がＣＰＵ３１に入力される。オペレータは、操作ユニット３５０を照明制御装置３に接続することで、照明制御装置３に対する各種の設定操作を行うことができる。
【００３１】
次に、測光エリアの設定方法について説明する。測光エリアの設定は、照明ユニット１の使用を開始するときに、初期設定として行われる操作である。オペレータは、測光エリアを設定するために、まず、照明制御装置３を実際の設置場所に取り付けて固定する。固定方法は図３で示した態様に限定されるものではない。この実施の形態においては、図３に示すように、オペレータは、照明ユニット１をビル１００の屋上１０１に取り付ける。さらに、オペレータは、図２に示すように、モニタ５および操作ユニット３５０を照明制御装置３に接続する。これにより、モニタ５には、実際の設置環境においてイメージセンサ３２が取得するアングルで画像が表示される。
【００３２】
ここで、オペレータとは、たとえば、照明ユニット１の取り付け設定を行う業者である。オペレータは、照明装置２および照明制御装置３の設置を行うとともに、測光エリアの設定操作を現地で行う。
【００３３】
続いて、オペレータは、操作部３５１を操作して、設定プログラム８２を起動させる。設定プログラム８２は、まず、モニタ５に表示されている表示用画像データ９３に重ねて、デフォルトの位置に測光エリアのエリア指定枠８２１を表示させる。図６は、モニタ５に表示された表示用画像データ９３とエリア指定枠８２１とを示す図である。図では、デフォルト位置として、表示用画像データ９３の中央上部の位置にエリア指定枠８２１が表示されている。
【００３４】
オペレータは、操作部３５１を操作することで、エリア指定枠８２１の設定操作を行う。この実施の形態においては、設定プログラム８２は、表示用画像データ９３の撮像エリアを複数のブロックに区分して管理している。図６の例では、デフォルトとして、単一のブロックサイズのエリア指定枠８２１が表示されている。オペレータは、操作部３５１を操作して、撮像エリア内の任意のブロックから１つあるいは複数のブロックを選択し、エリア指定枠８２１の設定操作を行う。オペレータは、エリア指定枠８２１の設定操作が終わると、操作部３５１を操作して、エリア指定枠８２１の決定操作を行う。操作部３５１によって行われた決定操作を入力すると、設定プログラム８２は、エリア指定枠８２１の位置およびサイズの情報を測光エリア情報８３としてメモリ３４に保存する。
【００３５】
図７は、モニタ５に表示された表示用画像データ９３とエリア指定枠８２１とを示す図である。図では、エリア指定枠８２１で設定された測光エリアがハッチングにより描かれている。図６に示したデフォルト状態と比べて、エリア指定枠８２１が拡大していることが分かる。図６に示したデフォルト状態と比べて、エリア指定枠８２１の位置が移動していることが分かる。この例では、エリア指定枠８２１が、看板１０２を囲む領域に設定されている。
【００３６】
看板１０２を対象物とするエリア指定枠８２１の設定が完了すると、オペレータは、続いて、看板１０２の周辺領域を対象とするエリア指定枠８２２の設定操作を行う。オペレータは、操作部３５１を操作し、エリア指定枠８２２の設定操作を行う。エリア指定枠８２２の設定方法は、上述したエリア指定枠８２１の設定方法と同様である。操作部３５１によってエリア指定枠８２２の決定操作が行われると、設定プログラム８２は、エリア指定枠８２２の位置およびサイズの情報を測光エリア情報８３としてメモリ３４に保存する。図８は、モニタ５に表示された表示用画像データ９３とエリア指定枠８２２とを示す図である。図では、エリア指定枠８２２で設定された測光エリアがハッチングにより描かれている。この例では、エリア指定枠８２２が、看板１０２の周辺領域に設定されている。オペレータが以上の作業を行うことにより、エリア指定枠８２１およびエリア指定枠８２２の設定が完了する。エリア指定枠８２１およびエリア指定枠８２２の設定が完了すれば、オペレータは、照明制御装置３からモニタ５および操作ユニット３５０を取り外す。
【００３７】
次に、図９を参照しながら、照明制御の方法について説明する。上述した設定プロセスにより、２つの測光エリアが設定された後、照明装置２および照明制御装置３が実際に制御プログラム８１の制御のもとで動作する。制御プログラム８１は、対象物の照度をユーザの要望にあわせて最適に制御するためのプログラムである。対象物は、この実施の形態においては、看板１０２である。図９は、ＣＰＵ３１において実行される制御プログラム８１のフローチャートである。制御プログラム８１は、図９に示すフローチャートを実行することで、対象物の照度を最適制御する。
【００３８】
図９に示す処理を実行する前提として、イメージセンサ３２は、常時、照明エリア内の画像を撮像している。インタフェース装置３３から出力された画像データ９２は、たとえば１ｆｐｓ（ｆｒａｍｅ  ｐｅｒ  ｓｅｃｏｎｄ）などのフレームレートでメモリ３４に保存される。
【００３９】
制御プログラム８１は、まず、設定データなどを参照し、制御時刻をセットする（ステップＳ２０１）。制御時刻は、看板１０２に対する照度の調整を行う開始時刻と終了時刻の情報を含んでいる。次に、制御プログラム８１は、タイマＩＣ３９から現在時刻を取得し、現在時刻が制御時刻内であるか否かを判定する（ステップＳ２０２）。現在時刻が制御時刻内であれば、制御タイマをリセットする（ステップＳ２０３）。これにより、照明制御を行うタイミングのカウントが開始される。制御プログラム８１は、制御タイマを参照し、制御タイミングが到来しているか否かを判定する（ステップＳ２０４）。たとえば、５秒間隔あるいは１０秒間隔などのタイミングで照明制御が行われる。たとえば、前述した制御時刻が、２６時から６時までに設定されているとする。この場合であれば、制御時刻内である２６時から６時までの間は、制御タイミングを測定し、照明制御を行う。制御時刻外である６時〜２６時までの間は、たとえば照明はＯＦＦ状態となるので、制御タイミングの検知プロセスなどは省略することができる。タイマＩＣとして電波時計ＩＣを利用する場合は、制御時刻の管理を自動化させることができる。
【００４０】
制御タイミングが到来すると、制御プログラム８１は、メモリ３４から最新の画像データ９２を取得する（ステップＳ２０５）。
【００４１】
次に、制御プログラム８１は、測光エリア情報８３を参照し、照明エリア内に設定された複数の測光エリアの位置およびサイズを取得する（ステップＳ２０６）。この実施の形態においては、上述したように、エリア指定枠８２１および８２２により設定された２つの測光エリアが設定されている。
【００４２】
続いて、制御プログラム８１は、各測光エリアの照度を算出する（ステップＳ２０７）。制御プログラム８１は、エリア指定枠８２１で設定された測光エリアの照度、および、エリア指定枠８２２で設定された測光エリアの照度を算出する。つまり、看板１０２の領域内の照度と看板１０２の周辺領域の照度とを算出する。照度の算出方法は特に限定されない。たとえば、測光エリア内の輝度値の平均値を照度として用いてもよい。
【００４３】
次に、制御プログラム８１は、制御プログラム８１内に記述されたアルゴリズムに従い、照明制御情報を算出する（ステップＳ２０８）。
【００４４】
制御プログラム８１に記述されたアルゴリズムについて説明する。本実施の形態において、制御プログラム８１は、周辺の領域の照度を計測し、予め設定された数値以下の場合、看板１０２の領域内における照度と看板１０２の周辺の領域の照度とを比較する。つまり、制御プログラム８１は、エリア指定枠８２１内の照度とエリア指定枠８２２内の照度とを比較する。制御プログラム８１は、エリア指定枠８２１内の照度とエリア指定枠８２２内の照度との差が予め設定された基準を満たすように、照明制御情報を生成する。制御プログラム８１は、周辺の領域の照度が予め設定された数値よりも大きい場合は、照明をＯＦＦするなどの制御を行う。たとえば、制御時刻内であるが日光により看板１０２に充分な照度が得られるのであれば、照明をＯＦＦさせて、消費電力を低減させることができる。
【００４５】
メモリ３４には、設定データ８４が格納されている。設定データ８４には、エリア指定枠８２１内とエリア指定枠８２２内の照度差の条件を示す情報が格納されている。たとえば、設定データ８４には、看板１０２の領域であるエリア指定枠８２１内と、看板１０２の周辺領域であるエリア指定枠８２２内のとの照度差の最適値が設定されている。照度差の最適値は、ある程度の幅を持っていてもよい。看板１０２を目立たせるという目的だけであれば、照度差が最大となるように調整すればよい。つまり、照明装置２は、常に最大出力で看板１０２を照射すればよいことになる。しかし、照明装置２の出力を上げることにより、消費電力が大きくなり、コスト面、省エネルギーの観点、および環境面の点で問題がある。消費電力をなるべく少なくしつつ、看板１０２が明確に参照できるような光を看板１０２に照射できることが望ましい。設定データ８４は、初期設定時にオペレータにより設定される。たとえば、オペレータは、実際の設置環境で、照明装置２の照度を様々に調整することにより、ユーザにとって最適な状態を確認すればよい。オペレータは、看板１０２の領域と看板１０２の周辺領域との照度差がどの程度必要かを確認すればよい。ユーザは、看板１０２を目立たせることができるという目的と、消費電力をなるべく抑えるという観点から、照度差の基準を判断すればよい。ユーザによって確認された照度差の値をオペレータは設定データ８４に設定する。
【００４６】
また、日中と夜間では、照度差と看板１０２の視認性との関係が異なる。夜間であれば、周辺領域が暗いため、比較的照度差が小さくても、看板１０２の視認性が上がるケースも考えられる。したがって、設定データ８４には、時間帯別の照度差を設定するようにすればよい。時刻帯の設定は、システム内にある、例えば電波時計などの機能を有するタイマＩＣ３９あるいはＣＰＵ内にあるタイマ機能を使用しても良い。
【００４７】
以上の処理により、制御プログラム８１が照明制御情報を算出すると、ＣＰＵ３１は、出力ポート３７を介して照明制御情報を出力する。照明制御情報は、出力ポート３７およびケーブル４を介して照明装置２に出力される。照明装置２は、入力した照明制御情報にしたがって、光量を調整する。
【００４８】
看板１０２の周辺領域に設定されるエリア指定枠８２２は、看板１０２に隣接した領域に設定することが一般的には、好ましい。看板１０２の視認性は、隣接する領域とのコントラストが重要な要因となるからである。
【００４９】
看板１０２の周辺領域に照度の高い物体などがある場合、照度差の判定が難しくなる。たとえば、図１０に示すように、ビル１００の横に、電光掲示による看板１０３が存在するとする。図８で示したエリア指定枠８２２により看板周辺の照度を測定すると、看板周辺の照度が高く判定され、それに応じて看板１０２に照射する光を必要以上に高く設定してしまうことになる。そこで、オペレータは、操作部３５１を操作して、看板１０３の周辺をキャンセルエリア指定枠８３１に設定する。照明制御装置３は、エリア指定枠８２２からキャンセルエリア指定枠８３１の領域を除いた上で、看板周辺領域の照度を算出する。これにより、看板１０２の周辺の照度を適切に判定することができる。
【００５０】
このように、本実施の形態の照明ユニット１は、対象物と対象物周辺の領域の照度差を考慮した上で、対象物の照度を調整することができる。対象物の照度だけを測定して対象物の照度を調整する場合と比較して、より正確に、対象物の照度を調整することができる。これにより、対象物の視認性を高めることができる。たとえば、周辺領域が暗い場合には、それに応じて対象物の照度を低下させることも可能であり、消費電力の低減を図ることができる。周辺領域が明るくなったときには、それに応じて対象物の照度も上昇させることで、対象物を目立たせることができる。外部の環境が変化した場合であっても、周辺領域との照度差を常に維持することができるので、看板の広告機能を安定して維持することができる。また、常時、高い照度を維持する方法と比べて消費電力の低減を図ることができる。
【００５１】
｛第２の実施の形態｝
図１１は、第２の実施の形態に係る照明ユニット１の使用態様を示すである。第２の実施の形態においては、ビル１００の屋上１０１には、２台の照明ユニット１Ａおよび１Ｂが設置されている。照明ユニット１Ａおよび１Ｂは、いずれも、第１の実施の形態で説明した照明ユニット１と同様のユニットである。つまり、照明ユニット１Ａおよび照明ユニット１Ｂは、それぞれ照明装置２および照明制御装置３を備えるユニットである。
【００５２】
照明ユニット１Ａは、第１の実施の形態の照明ユニット１と同じ設定が行われている。つまり、照明ユニット１Ａは、看板１０２のほぼ正面に設置され、看板１０２の全体に照明光を与える。照明ユニット１Ａでは、図７および図８で示したように、エリア指定枠８２１および８２２が設定されている。
【００５３】
照明ユニット１Ｂは、照明ユニット１Ａの左横に設置されている。照明ユニット１Ｂの照明装置２は、看板１０２の一部に照明光を照射している。図１１の例では、照明ユニット１Ｂは、会社名「ＡＢＣ」部分に集中的に光を照射している。つまり、照明ユニット１Bは、看板１０２の中で、最も強調したい部分に光を照射するよう配置されている。照明ユニット１Ｂでは、照明ユニット１Ａと同様にエリア指定枠８２１が設定されている。また、照明ユニット１Ｂでは、図１２に示すように、会社名「ＡＢＣ」部分を領域とするエリア指定枠８２３が設定されている。
【００５４】
照明ユニット１Ａは、第１の実施の形態と同様、看板１０２の領域と、看板１０２の周辺の領域との照度差を最適な状態に保つように、照明装置２を制御する。
【００５５】
照明ユニット１Ｂの照明制御装置３が保有する設定データ８４には、エリア指定枠８２１とエリア指定枠８２３の照度差の最適値が設定されている。看板１０２の領域であるエリア指定枠８２１内の照度と、看板１０２の一部の領域であるエリア指定枠８２３内の照度との最適な関係が設定されている。会社名「ＡＢＣ」を目立たせるという目的だけであれば、照度差が最大となるように調整すればよい。つまり、照明ユニット１Ｂの照明装置２は、常に最大出力で会社名「ＡＢＣ」部分を照射すればよいことになる。消費電力等の問題が生じるのは上述したとおりである。消費電力をなるべく少なくしつつ、会社名「ＡＢＣ」が明確に参照できるような照度差を設定する必要がある。設定データ８４には、会社名「ＡＢＣ」が明確に参照でき、かつ、消費電力をなるべく少なくすることのできる照度差の設定がされればよい。
【００５６】
｛その他の実施の形態｝
図９のステップＳ２０４において、制御プログラム８１は、最新の画像データ９２を参照している。最新の画像データ９２から看板１０２と看板１０２の周辺領域との照度差を算出している。他の実施の形態として、過去複数フレームの画像データ９２を参照するようにしてもよい。
【００５７】
外部の環境の変化によって、看板１０２と看板１０２の周辺領域との照度差が時々刻々変化する。この変化に追随して照明装置２の照度を調整した場合、頻繁に看板１０２に照射される光量が変化するケースが考えられる。このような状況を回避するために、過去複数フレームの画像データ９２から、各エリア指定枠の平均照度を算出する。各エリア指定枠の平均照度差によって、照明装置２を制御することにより、光量の調整を緩やかに行うことができる。
【符号の説明】
【００５８】
１、１Ａ、１Ｂ    照明ユニット
２    照明装置
３    照明制御装置
５    モニタ
１００    ビル
１０１    屋上
１０２、１０３    看板
８２１、８２２、８２３    エリア指定枠
８３１    キャンセルエリア指定枠
【図１】
0005506089.tif 000002
【図２】
0005506089.tif 000003
【図３】
0005506089.tif 000004
【図４】
0005506089.tif 000005
【図５】
0005506089.tif 000006
【図６】
0005506089.tif 000007
【図７】
0005506089.tif 000008
【図８】
0005506089.tif 000009
【図９】
0005506089.tif 000010
【図１０】
0005506089.tif 000011
【図１１】
0005506089.tif 000012
【図１２】
0005506089.tif 000013